【手続補正書】
【提出日】平成29年11月13日(2017.11.13)
【手続補正１】
【補正対象書類名】特許請求の範囲
【補正対象項目名】全文
【補正方法】変更
【補正の内容】
【特許請求の範囲】
【請求項１】
異なる複数の位置から放射された放射線を、検出手段で検出して得られる複数の投影画像に基づいて、被写体の断層画像を再構成する画像処理装置であって、
前記複数の投影画像から、第１の断層画像を再構成する再構成手段と、
前記検出手段に起因して前記第１の断層画像に生じた固定パターンを抽出する抽出手段と、
前記固定パターンの強度に関する値を正則化項として、前記第１の断層画像を更新して第２の断層画像を形成する更新手段と、
前記更新により得られた前記第２の断層画像を、前記被写体の断層画像として出力する出力手段と、
を有することを特徴とする画像処理装置。
【請求項２】
前記更新手段は、更新の前の断層画像と更新の後の断層画像との差分が所定値以下となるまで、断層画像の更新を繰り返す、
ことを特徴とする請求項１に記載の画像処理装置。
【請求項３】
前記更新手段は、断層画像の更新を繰り返して、更新の回数が所定回数に達した場合、更新を終了する、
ことを特徴とする請求項１又は２に記載の画像処理装置。
【請求項４】
前記更新手段は、更新の前の断層画像から形成される投影画像に相当する画像と前記複数の投影画像との差分に関する値と、前記固定パターンの強度に関する値との和を低減する規範に従って、断層画像を更新する、
ことを特徴とする請求項１から３のいずれか１項に記載の画像処理装置。
【請求項５】
前記再構成手段は、異なる高さにおける断層について、断層画像を再構成することができ、
前記更新手段は、前記固定パターンの強度に、前記第１の断層画像に関する断層の高さに応じて定まる係数を乗じた項を前記固定パターンの強度に関する値として、断層画像を更新する、
ことを特徴とする請求項１から４のいずれか１項に記載の画像処理装置。
【請求項６】
前記放射線が放射される位置が移動したことに応じて、前記検出手段の位置が、前記放射線が放射される位置の移動する方向とは逆に移動され、
前記係数は、放射線が放射される第１の位置と前記検出手段の１つの点とを結ぶ直線と、放射線が放射される前記第１の位置とは異なる第２の位置と前記検出手段の前記１つの点とを結ぶ直線とが交わる点を含む面の高さに近いほど大きい値を有する、
ことを特徴とする請求項５に記載の画像処理装置。
【請求項７】
前記抽出手段は、前記第１の断層画像に対して、ローパスフィルタ処理を行った後の画像から、前記固定パターンを抽出する、
ことを特徴とする請求項１から６のいずれか１項に記載の画像処理装置。
【請求項８】
前記固定パターンは、直線状のパターンを含み、
前記抽出手段は、前記直線状のパターンに対して平行な方向において、前記ローパスフィルタ処理を行った後の画像から、前記固定パターンを抽出する、
ことを特徴とする請求項７に記載の画像処理装置。
【請求項９】
前記固定パターンは、曲線状のパターンを含み、
前記抽出手段は、前記曲線状のパターンの接線の方向において、前記ローパスフィルタ処理を行った後の画像から、前記固定パターンを抽出する、
ことを特徴とする請求項７又は８に記載の画像処理装置。
【請求項１０】
前記被写体を含まない状態で得られた投影画像から前記固定パターンの形状を取得する取得手段をさらに有し、
前記抽出手段は、取得した前記形状に基づいて前記ローパスフィルタ処理を行う方向を定める、
ことを特徴とする請求項８又は９に記載の画像処理装置。
【請求項１１】
異なる複数の位置から放射された放射線を、検出手段で検出して得られる複数の投影画像に基づいて、被写体の断層画像を再構成する画像処理装置であって、
前記複数の投影画像から、第１の断層画像を再構成する再構成手段と、
前記検出手段に起因して前記第１の断層画像に生じた固定パターンを抽出する抽出手段と、
前記固定パターンの強度に関する値を用いて、前記第１の断層画像を更新して第２の断層画像を形成する更新手段と、
更新後の前記第２の断層画像を、前記被写体の断層画像として出力する出力手段と、
を有し、
前記更新手段は、更新前の前記第１の断層画像の投影画像と更新後の前記第２の断層画像の投影画像との間の差分に基づいて、前記第１の断層画像を更新する、
ことを特徴とする画像処理装置。
【請求項１２】
異なる複数の位置から放射された放射線を、検出手段で検出して得られる複数の投影画像に基づいて、被写体の断層画像を再構成する画像処理装置であって、
前記複数の投影画像から、第１の断層画像を再構成する再構成手段と、
前記検出手段に起因して前記第１の断層画像に生じた固定パターンを抽出する抽出手段と、
前記固定パターンの強度に関する値を用いて、前記第１の断層画像を更新して第２の断層画像を形成する更新手段と、
更新後の前記第２の断層画像を、前記被写体の断層画像として出力する出力手段と、
を有し、
前記更新手段は、更新前の断層画像と更新後の断層画像との間の差分が前記固定パターンに起因するアーチファクトに関する所定値以下となるまで、断層画像の更新を繰り返す、
ことを特徴とする画像処理装置。
【請求項１３】
放射線を放射する可動の放射手段と、
前記放射線を検出する検出手段と、
前記放射手段が異なる複数の位置から放射した前記放射線を、検出手段が検出することにより得られる複数の投影画像に基づいて、被写体の断層画像を再構成する画像処理手段と、
を含む放射線撮影システムであって、
前記画像処理手段は、さらに、
前記複数の投影画像から、第１の断層画像を再構成する再構成手段と、
前記検出手段に起因して前記第１の断層画像に生じた固定パターンを抽出する抽出手段と、
前記固定パターンの強度に関する値を正則化項として、前記第１の断層画像を更新して第２の断層画像を形成する更新手段と、
前記更新により得られた前記第２の断層画像を、前記被写体の断層画像として出力する出力手段と、
を有する、
ことを特徴とする放射線撮影システム。
【請求項１４】
異なる複数の位置から放射された放射線を、検出手段で検出して得られる複数の投影画像に基づいて、被写体の断層画像を再構成する画像処理装置の制御方法であって、
再構成手段が、前記複数の投影画像から、第１の断層画像を再構成する再構成工程と、
抽出手段が、前記検出手段に起因して前記第１の断層画像に生じた固定パターンを抽出する抽出工程と、
更新手段が、前記固定パターンの強度に関する値を正則化項として、前記第１の断層画像を更新して第２の断層画像を形成する更新工程と、
出力手段が、前記更新により得られた前記第２の断層画像を、前記被写体の断層画像として出力する出力工程と、
を有することを特徴とする制御方法。
【請求項１５】
異なる複数の位置から放射された放射線を、検出手段で検出して得られる複数の投影画像に基づいて、被写体の断層画像を再構成する画像処理装置の制御方法であって、
再構成手段が、前記複数の投影画像から、第１の断層画像を再構成する再構成工程と、
抽出手段が、前記検出手段に起因して前記第１の断層画像に生じた固定パターンを抽出する抽出工程と、
更新手段が、前記固定パターンの強度に関する値を用いて、前記第１の断層画像を更新して第２の断層画像を形成する更新工程と、
出力手段が、更新後の前記第２の断層画像を、前記被写体の断層画像として出力する出力工程と、
を有し、
前記更新工程では、更新前の前記第１の断層画像の投影画像と更新後の前記第２の断層画像の投影画像との間の差分に基づいて、前記第１の断層画像が更新される、
ことを特徴とする制御方法。
【請求項１６】
異なる複数の位置から放射された放射線を、検出手段で検出して得られる複数の投影画像に基づいて、被写体の断層画像を再構成する画像処理装置の制御方法であって、
再構成手段が、前記複数の投影画像から、第１の断層画像を再構成する再構成工程と、
抽出手段が、前記検出手段に起因して前記第１の断層画像に生じた固定パターンを抽出する抽出工程と、
更新手段が、前記固定パターンの強度に関する値を用いて、前記第１の断層画像を更新して第２の断層画像を形成する更新工程と、
出力手段が、更新後の前記第２の断層画像を、前記被写体の断層画像として出力する出力工程と、
を有し、
前記更新工程では、更新前の断層画像と更新後の断層画像との間の差分が前記固定パターンに起因するアーチファクトに関する所定値以下となるまで、断層画像の更新が繰り返される、
ことを特徴とする制御方法。
【請求項１７】
放射線を放射する可動の放射手段と、前記放射線を検出する検出手段と、前記放射手段が異なる複数の位置から放射した前記放射線を、検出手段が検出することにより得られる複数の投影画像に基づいて、被写体の断層画像を再構成する画像処理手段と、を含む放射線撮影システムの制御方法であって、
前記画像処理手段が、前記複数の投影画像から、第１の断層画像を再構成する再構成工程と、
前記画像処理手段が、前記検出手段に起因して前記第１の断層画像に生じた固定パターンを抽出する抽出工程と、
前記画像処理手段が、前記固定パターンの強度に関する値を正則化項として、前記第１の断層画像を更新して第２の断層画像を形成する更新工程と、
前記画像処理手段が、前記更新により得られた前記第２の断層画像を、前記被写体の断層画像として出力する出力工程と、
を有することを特徴とする制御方法。
【請求項１８】
コンピュータを請求項１から１２のいずれか１項に記載の画像処理装置が備える各手段として機能させるためのプログラム。